(57)【要約】【課題】従来よりも軽量化がなされているとともに、キャスタが無くても移動が容易である情報表示装置の支持装置を提供する。【解決手段】上下方向に対して斜めになって延伸する一対の斜長尺材７と、一対の斜長尺材とは逆向きで上下方向に対し斜めになって延伸し、上端部が、一対の斜長尺材の中間部のそれぞれに係合している一対の斜短尺材９と、一端部が一対の斜長尺材の下側部位のそれぞれに係合し、他端部が一対の斜短尺材の下側部位のそれぞれに係合している一対の下側連結部材１１と、一端部が一対の斜長尺材のうちの一方の斜長尺材の上端部に係合し、他端部が一対の斜長尺材のうちの他方の斜長尺材の上端部に係合している上側ビーム材１３とを有し、画像表示装置３の下端が一対の下側連結部材で支持され、画像表示装置の上側の部位が上側ビーム材で支持されて、画像表示装置が設置されるように構成されている情報表示装置の支持装置５である。【選択図】図１
2014206666.tif 000002
【特許請求の範囲】
【請求項１】
上下方向に対して斜めになって延伸する一対の斜長尺材と、
前記一対の斜長尺材とは逆向きで上下方向に対し斜めになって延伸し、延伸方向の上端部が、前記一対の斜長尺材の延伸方向の中間部のそれぞれに係合している一対の斜短尺材と、
延伸方向の一端部が前記一対の斜長尺材の下側部位のそれぞれに係合し、延伸方向の他端部が前記一対の斜短尺材の下側部位のそれぞれに係合している一対の下側連結部材と、
延伸方向の一端部が前記一対の斜長尺材のうちの一方の斜長尺材の上端部に係合し、延伸方向の他端部が前記一対の斜長尺材のうちの他方の斜長尺材の上端部に係合している上側ビーム材と、
を有し、画像表示装置の下端が前記一対の下側連結部材で支持され、上記画像表示装置の上側の部位が前記上側ビーム材で支持されて、前記画像表示装置が設置されるように構成されていることを特徴とする情報表示装置の支持装置。
【請求項２】
請求項１に記載の情報表示装置の支持装置において、
前記一対の下側連結部材のそれぞれは、延伸方向の一端部が、前記一対の斜長尺材のそれぞれに回動自在に係合しており、延伸方向の他端部が、前記一対の斜短尺材のそれぞれに回動自在に係合しており、
前記一対の下側連結部材のそれぞれは、延伸方向の中間部で分割されていて、この分割されている部位で前記分割されたもの同士が回動自在に係合しており、
前記一対の斜短尺材のそれぞれは、前記一対の斜長尺材のそれぞれに回動自在に係合しており、
前記一対の斜長尺材と前記一対の斜短尺材と前記一対の下側連結部材の分割されているものとで限定連鎖が形成されており、前記一対の斜長尺材と前記一対の斜短尺材と前記一対の下側連結部材の分割されているものとが、概ね１つの平面上に存在するような折り畳みが可能なように構成されていることを特徴とする情報表示装置の支持装置。
【請求項３】
請求項１または請求項２に記載の情報表示装置の支持装置において、
前記画像表示装置を前記上側ビーム材に係合させるための板状の被係合部が、前記画像表示装置に設けられており、
前記被係合部は、前記画像表示装置に対して回動自在になっており、前記被係合部を前記上側ビーム材に係合させて前記画像表示装置を前記情報表示装置の支持装置に設置するときには前記画像表示装置から突出し、前記画像表示装置を前記情報表示装置の支持装置から取り外したときには前記画像表示装置にくっついた収容位置に位置するように構成されていることを特徴とする情報表示装置の支持装置。
【発明の詳細な説明】
【技術分野】
【０００１】
本発明は、情報表示装置の支持装置に係り、たとえば、ＬＥＤ等を用いた画像表示装置が設置されて工事がされているところに設置され、自動車のドライバー等に注意を促すものに関する。
【背景技術】
【０００２】
従来、図１０で示すような情報表示装置の支持装置２０１が知られている。情報表示装置の支持装置２０１には、ＬＥＤ等を用いて画像を表示する画像表示装置２０３が設置されるようになっている。
【０００３】
情報表示装置の支持装置２０１は、ベース体２０５と支柱２０７とを備えて構成されている。ベース体２０５は、情報表示装置の支持装置２０１の下側でＬＥＤ等の画像表示装置２０３を支持しており、支柱２０７は、ベース体２０５の中央から起立しており、画像表示装置２０３が倒れないように支持している。
【０００４】
情報表示装置の支持装置２０１を側面視すると、図１０に示すように上下が入れ替わった「Ｔ」字状になっている。
【０００５】
なお、上記従来の技術に関する特許文献として、たとえば、非特許文献１を掲げることができる。
【先行技術文献】
【非特許文献】
【０００６】
【非特許文献１】セフテック株式会社のパンフレット「ＵＰＤＡＴＥ  ＳＡＦＴＥＣ  ２０１２」  ２０１２年１１月発行
【発明の概要】
【発明が解決しようとする課題】
【０００７】
ところで、上記従来の情報表示装置の支持装置２０１は、ベース体２０５から起立している支柱２０７が片持ち梁状になっていることにより、また、現場で使用されるので画像表示装置２０３といっしょに倒れたりすることが絶対に無いようにしなければならないことにより、剛性が高められている。これにより、重量が大きくなっているという問題がある。
【０００８】
また、従来の情報表示装置の支持装置２０１は、現場での移動をしやすくするためのキャスタ２０９が設けられているが、路面が凹凸になっている現場での移動が困難であるという問題がある。
【０００９】
本発明は、上記問題点に鑑みてなされたものであり、従来よりも軽量化がなされているとともに、キャスタが無くても移動が容易である情報表示装置の支持装置を提供することを目的とする。
【課題を解決するための手段】
【００１０】
請求項１に記載の発明は、上下方向に対して斜めになって延伸する一対の斜長尺材と、前記一対の斜長尺材とは逆向きで上下方向に対し斜めになって延伸し、延伸方向の上端部が、前記一対の斜長尺材の延伸方向の中間部のそれぞれに係合している一対の斜短尺材と、延伸方向の一端部が前記一対の斜長尺材の下側部位のそれぞれに係合し、延伸方向の他端部が前記一対の斜短尺材の下側部位のそれぞれに係合している一対の下側連結部材と、延伸方向の一端部が前記一対の斜長尺材のうちの一方の斜長尺材の上端部に係合し、延伸方向の他端部が前記一対の斜長尺材のうちの他方の斜長尺材の上端部に係合している上側ビーム材とを有し、画像表示装置の下端が前記一対の下側連結部材で支持され、上記画像表示装置の上側の部位が前記上側ビーム材で支持されて、前記画像表示装置が設置されるように構成されている情報表示装置の支持装置である。
【００１１】
請求項２に記載の発明は、請求項１に記載の情報表示装置の支持装置において、前記一対の下側連結部材のそれぞれは、延伸方向の一端部が、前記一対の斜長尺材のそれぞれに回動自在に係合しており、延伸方向の他端部が、前記一対の斜短尺材のそれぞれに回動自在に係合しており、前記一対の下側連結部材のそれぞれは、延伸方向の中間部で分割されていて、この分割されている部位で前記分割されたもの同士が回動自在に係合しており、前記一対の斜短尺材のそれぞれは、前記一対の斜長尺材のそれぞれに回動自在に係合しており、前記一対の斜長尺材と前記一対の斜短尺材と前記一対の下側連結部材の分割されているものとで限定連鎖が形成されており、前記一対の斜長尺材と前記一対の斜短尺材と前記一対の下側連結部材の分割されているものとが、概ね１つの平面上に存在するような折り畳みが可能なように構成されている情報表示装置の支持装置である。
【００１２】
請求項３に記載の発明は、請求項１または請求項２に記載の情報表示装置の支持装置において、前記画像表示装置を前記上側ビーム材に係合させるための板状の被係合部が、前記画像表示装置に設けられており、前記被係合部は、前記画像表示装置に対して回動自在になっており、前記被係合部を前記上側ビーム材に係合させて前記画像表示装置を前記情報表示装置の支持装置に設置するときには前記画像表示装置から突出し、前記画像表示装置を前記情報表示装置の支持装置から取り外したときには前記画像表示装置にくっついた収容位置に位置するように構成されている情報表示装置の支持装置である。
【発明の効果】
【００１３】
本発明によれば、従来よりも軽量化がなされているとともに、キャスタが無くても移動が容易である情報表示装置の支持装置を提供することができるという効果を得ることができる。
【図面の簡単な説明】
【００１４】
【図１】画像表示装置が設置されている本発明の実施形態に係る情報表示装置の支持装置の正面図（横方向から見た図）である。
【図２】図１におけるＩＩ矢視図である。
【図３】図１におけるＩＩＩ矢視図である。
【図４】（ａ）は図１のＩＶＡ部の拡大図であり、（ｂ）は図１のＩＶＢ部の拡大図であり、（ｃ）は図３のＩＶＣ部の拡大図である。
【図５】（ａ）は、本発明の実施形態に係る情報表示装置の支持装置の使用時における斜視図であり、（ｂ）は、本発明の実施形態に係る情報表示装置の支持装置を折り畳んだ状態を示す図である。
【図６】（ａ）は、本発明の実施形態に係る情報表示装置の支持装置の正面図であり、（ｂ）は、（ａ）におけるＶＩＢ矢視図であり、（ｃ）は、（ｂ）におけるＶＩＣ矢視図である。
【図７】（ａ）は、本発明の実施形態に係る情報表示装置の支持装置に設置される画像表示装置の正面図であり、（ｂ）は（ａ）におけるＶＩＩＢ矢視図であり、（ｃ）は（ａ）におけるＶＩＩＣ矢視図であり、（ｄ）は（ｃ）のＶＩＩＤ部の拡大図である。
【図８】本発明の実施形態に係る情報表示装置の支持装置に設置される画像表示装置を折り畳んだ状態を示す斜視図である。
【図９】本発明の実施形態に係る情報表示装置の支持装置の使用態様の変形例を示す図である。
【図１０】画像表示装置が設置されている従来の情報表示装置の支持装置の正面図である。
【発明を実施するための形態】
【００１５】
情報表示ユニット１は、たとえば、路面の上に設置されて使用されるものであり、図１等で示すように、ＬＥＤ等を用いて画像情報を表示する画像表示装置（情報表示装置）３と情報表示装置の支持装置５とを備えて構成されている。
【００１６】
ここで、水平な所定の一方向を横方向とし、横方向に対して直交する水平な所定の他の一方向を前後方向とし、横方向と前後方向とに対して直交する鉛直方向を上下方向とする。
【００１７】
情報表示装置の支持装置５は、図５（ａ）等で示すように、一対の斜長尺材７と一対の斜短尺材９と一対の下側連結部材１１と上側ビーム材１３とを備えて構成されている。
【００１８】
情報表示装置の支持装置５の使用時、一対の斜長尺材７は、上下方向に対して斜めになって延伸するようになっている。斜長尺材７の長手方向と延伸方向はお互いに一致している。
【００１９】
さらに説明すると、一対の斜長尺材７は、棒状の第１の斜長尺材７Ａと、この第１の斜長尺材７Ａと同形状に形成されている第２の斜長尺材７Ｂとで構成されている。使用時、第１の斜長尺材７Ａの中心軸（細長い四角柱状の第１の斜長尺材７Ａの中心を通り第１の斜長尺材７Ａの長手方向に延びている中心軸）は、横方向に対して直交する平面内に存在しており、第１の斜長尺材７Ａの下端は、前側に位置しており、第１の斜長尺材７Ａの上端は後側に位置している。第１の斜長尺材７Ａと第２の斜長尺材７Ｂとはお互いが平行になって延伸しており、第１の斜長尺材７Ａと第２の斜長尺材７Ｂとの上下方向および前後方向の位置はお互いが一致しており、第２の斜長尺材７Ｂは第１の斜長尺材７Ａから横方向で所定の距離だけ離れている。
【００２０】
情報表示装置の支持装置５の使用時、一対の斜短尺材９は、一対の斜長尺材７とは逆向きで上下方向に対し斜めになって延伸しており、延伸方向（長手方向）の上端部のそれぞれが、一対の斜長尺材７の延伸方向（長手方向）の中間部（上端側の中間部）のそれぞれに係合している。
【００２１】
一対の斜短尺材９は、第１の斜長尺材７Ａよりも長さが短い棒状の第１の斜短尺材９Ａと、この第１の斜短尺材９Ａと同形状に形成されている第２の斜短尺材９Ｂとで構成されている。第１の斜短尺材９Ａと第２の斜短尺材９Ｂとはお互いが平行になって延伸しており、第１の斜短尺材９Ａと第２の斜短尺材９Ｂとの上下方向および前後方向の位置はお互いが一致しており、横方向で、第２の斜短尺材９Ｂは第１の斜短尺材９Ａから第１の斜長尺材７Ａと第２の斜長尺材７Ｂとの場合と同じ所定の距離だけ離れている。
【００２２】
上下方向での、第１の斜短尺材９Ａの下端の位置と第２の斜短尺材９Ｂの下端の位置とは、第１の斜長尺材７Ａの下端の位置と第２の斜長尺材７Ｂの下端の位置と一致している。
【００２３】
第１の斜短尺材９Ａの上端は、第１の斜長尺材７Ａの長手方向の中間部に係合している。また、第１の斜長尺材７Ａの中心軸と、第１の斜短尺材９Ａの中心軸（細長い四角柱状の第１の斜短尺材９Ａの中心を通り第１の斜短尺材９Ａの長手方向に延びている中心軸）とは、横方向に対して直交する平面内に存在している。そして、横方向から見たときに、第１の斜長尺材７Ａと第１の斜短尺材９Ａとで「人」文字状の形態になっている。
【００２４】
第１の斜短尺材９Ａと第１の斜長尺材７Ａとの場合と同様にして、第２の斜短尺材９Ｂの上端は、第２の斜長尺材７Ｂの長手方向の中間部に係合している。また、第２の斜長尺材７Ｂの中心軸と、第２の斜短尺材９Ｂの中心軸とは、他の１つの平面（横方向に対して直交する平面）内に存在している。
【００２５】
すなわち、第２の斜短尺材９Ｂと第２の斜長尺材７Ｂとは、第１の斜短尺材９Ａと第１の斜長尺材７Ａとを、横方向で所定の距離だけ移動した態様で配置されている。
【００２６】
情報表示装置の支持装置５の使用時、一対の下側連結部材１１は、延伸方向の一端部（前端部）のそれぞれが斜長尺材７の延伸方向の下側部位のそれぞれに係合し、延伸方向の他端部（後端部）のそれぞれが斜短尺材９の延伸方向の下側部位のそれぞれに係合して、斜長尺材７と斜短尺材９との間で延伸している。
【００２７】
一対の下側連結部材１１は、たとえば、アングル材で構成されている棒状の第１の下側連結部材１１Ａと、この第１の下側連結部材１１Ａと同形状に形成されている第２の下側連結部材１１Ｂとで構成されている。第１の下側連結部材１１Ａと第２の下側連結部材１１Ｂとはお互いが平行になって、たとえば、前後方向に延伸している。第１の下側連結部材１１Ａと第２の下側連結部材１１Ｂとの上下方向および前後方向の位置はお互いが一致しており、横方向で、第２の下側連結部材１１Ｂが第１の下側連結部材１１Ａから第１の斜長尺材７Ａと第２の斜長尺材７Ｂと同じ所定の距離だけ離れている。
【００２８】
第１の下側連結部材１１Ａの前端は、第１の斜長尺材７Ａの長手方向の下側部位（たとえば、下端の近傍）に係合している。第１の下側連結部材１１Ａの後端は、第１の斜短尺材９Ａの長手方向の下側部位（たとえば、下端の近傍）に係合している。
【００２９】
第１の下側連結部材１１Ａの場合と同様にして、第２の下側連結部材１１Ｂの前端は、第２の斜長尺材７Ｂの長手方向の下側部位（たとえば、下端の近傍）に係合している。第２の下側連結部材１１Ｂの後端は、第２の斜短尺材９Ｂの長手方向の下側部位（たとえば、下端の近傍）に係合している。
【００３０】
上側ビーム材１３は、延伸方向（長手方向）の一端部が一対の斜長尺材７のうちの一方の斜長尺材（第１の斜長尺材７Ａ）の上端部に係合して一体的に設置されており、延伸方向の他端部が一対の斜長尺材７のうちの他方の斜長尺材（第２の斜長尺材７Ｂ）の上端部に係合して一体的に設置されている。
【００３１】
上側ビーム材１３は、棒状（細長い四角柱状）に形成されており、情報表示装置の支持装置５の使用時、第１の斜長尺材７Ａと第２の斜長尺材７Ｂとの間で横方向に延伸している。
【００３２】
一対の斜長尺材７と一対の斜短尺材９と一対の下側連結部材１１と上側ビーム材１３とを備えて構成されている情報表示装置の支持装置５には、図１等で示すように、画像表示装置（情報を画像で表示する画像表示装置）３が設置されるようになっている。このとき、画像表示装置３の下端が一対の下側連結部材１１で支持され、画像表示装置３の上側の部位（上下方向の中間部）が上側ビーム材１３で支持されている。
【００３３】
画像表示装置３は、所定の厚さで矩形な平板状に形成されており、厚さ方向の一方の面（前面）で画像を表示するようになっている。
【００３４】
主として、下側連結部材１１が、画像表示装置３の重量を支持しており、上側ビーム材１３が、画像表示装置３が倒れないような支持をしている。
【００３５】
画像表示装置３が情報表示装置の支持装置５に設置された状態では、画像表示装置３の厚さ方向が前後方向になっており、画像表示装置３の幅方向が横方向になっており、画像表示装置３の画像表示面が前を向いており、上側ビーム材１３は画像表示装置３の後側に位置している。なお、画像表示装置３は、情報表示装置の支持装置５に対して容易に着脱自在になっている。
【００３６】
また、情報表示装置の支持装置５では、図５等で示すように、一対の下側連結部材１１のそれぞれは、延伸方向の一端部（前端部）が、一対の斜長尺材７のそれぞれに回動自在に係合しており、延伸方向の他端部（後端部）が、一対の斜短尺材９のそれぞれに回動自在に係合している。
【００３７】
一対の下側連結部材１１のそれぞれは、延伸方向の中間部で分割されていて、この分割されている部位で分割されたもの同士が回動自在に係合している。
【００３８】
また、一対の斜短尺材９のそれぞれは、一対の斜長尺材７のそれぞれに回動自在に係合している。
【００３９】
詳しく説明すると、第１の下側連結部材１１Ａは、長手方向の中間部（たとえば、中央部）で、前下側連結部材１５と後下側連結部材１７とに分割されている。前下側連結部材１５の後端部と後下側連結部材１７の前端部とは、お互いが回動自在に係合している。
【００４０】
第２の下側連結部材１１Ｂも、第１の下側連結部材１１Ａと同様に、長手方向の中間部で、前下側連結部材１５と後下側連結部材１７とに分割されており、前下側連結部材１５の後端部と後下側連結部材１７の前端部とは、お互いが回動自在に係合している。
【００４１】
そして、一対の斜長尺材７と一対の斜短尺材９と一対の下側連結部材１１の分割されているもの（前下側連結部材１５の後端部、後下側連結部材１７）とで限定連鎖が生成されており、一対の斜長尺材７と一対の斜短尺材９と一対の下側連結部材１１が分割されたことで生成されたもの（前下側連結部材１５、後下側連結部材１７）と上側ビーム材１３とが、概ね１つの平面上に存在するような折り畳みが可能なように構成されている（図５（ｂ）参照）。
【００４２】
また、画像表示装置３には、被係合部１９が設けられている。被係合部１９は、画像表示装置３を上側ビーム材１３に係合させるためのものであり、板状（たとえば、平板状）に形成されており、画像表示装置３の画像表示面とは反対側の面である後側の面に設けられている。
【００４３】
被係合部１９は、画像表示装置３に対して回動自在になっている。そして、被係合部１９を上側ビーム材１３に係合させて画像表示装置３を情報表示装置の支持装置５に設置するときには、被係合部１９が回動をすることで画像表示装置３から突出するように構成されている。
【００４４】
一方、画像表示装置３を情報表示装置の支持装置５から取り外したときには、回動をすることで、被係合部１９が、画像表示装置３からほとんど突出しない画像表示装置３にくっついた収容位置に位置するように構成されている。
【００４５】
さらに説明すると、板状の被係合部１９が画像表示装置３から突出している状態では、板状の被係合部１９の厚さ方向が横方向になっており、被係合部１９は、画像表示装置３の後側の面から後方に突出している。板状の被係合部１９が収容位置に位置している状態では、板状の被係合部１９の厚さ方向が前後方向になっており、板状の被係合部１９の厚さ方向の一方の面（前側の面）が、画像表示装置３の画像表示面とは反対側の面（後側の面）に接触しているか、画像表示装置３の画像表示面から僅かに離れている。
【００４６】
情報表示装置の支持装置５についてさらに詳しく説明する。
【００４７】
情報表示装置の支持装置５には、図５（ａ）等で示すように、中間ビーム材２１と下前側ビーム材２３と下後側ビーム材２５と下側中間連結部材２７と前側補強ビーム材２９と中前側補強ビーム材３１と中後側補強ビーム材３３と後側補強ビーム材３５とが設けられている。
【００４８】
中間ビーム材２１は、上側ビーム材１３と同様に、棒状（細長い四角柱状）に形成されており、延伸方向（長手方向）の一端部が一対の斜短尺材９のうちの一方の斜短尺材（第１の斜短尺材９Ａ）の長手方向の中間部に係合して一体的に設置されており、延伸方向の他端部が一対の斜短尺材９のうちの他方の斜短尺材（第２の斜短尺材９Ｂ）の中間部に係合して一体的に設置されている。そして、情報表示装置の支持装置５の使用時、中間ビーム材２１は、第１の斜短尺材９Ａと第２の斜短尺材９Ｂとの間で横方向に延伸している。
【００４９】
下前側ビーム材２３も、上側ビーム材１３と同様に、棒状（細長い四角柱状）に形成されており、延伸方向（長手方向）の一端部が一対の斜長尺材７のうちの一方の斜長尺材（第１の斜長尺材７Ａ）の下端近傍の部位に係合して一体的に設置されており、延伸方向の他端部が一対の斜長尺材７のうちの他方の斜長尺材（第２の斜長尺材７Ｂ）の下端近傍の部位に係合して一体的に設置されている。そして、情報表示装置の支持装置５の使用時、下前側ビーム材２３は、第１の斜長尺材７Ａと第２の斜長尺材７Ｂとの間で横方向に延伸している。
【００５０】
下後側ビーム材２５も、上側ビーム材１３と同様に、棒状（細長い四角柱状）に形成されており、延伸方向（長手方向）の一端部が一対の斜短尺材９のうちの一方の斜短尺材（第１の斜短尺材９Ａ）の下端近傍の部位に係合して一体的に設置されており、延伸方向の他端部が一対の斜短尺材９のうちの他方の斜短尺材（第２の斜短尺材９Ｂ）の下端近傍の部位に係合している一体的に設置されている。そして、情報表示装置の支持装置５の使用時、下後側ビーム材２５は、第１の斜短尺材９Ａと第２の斜短尺材９Ｂとの間で横方向に延伸している。
【００５１】
なお、上記説明では、下側連結部材１１（前下側連結部材１５、後下側連結部材１７）が、斜長尺材７や斜短尺材９に直接係合し、回動自在になっているような記述がなされている。下側連結部材１１が斜長尺材７や斜短尺材９に直接係合し回動自在になっていてもよいが、図５で示す態様では、下側連結部材１１は、下前側ビーム材２３と下後側ビーム材２５とを介して、斜長尺材７や斜短尺材９に間接的に係合し、回動自在になっている。
【００５２】
すなわち、前下側連結部材１５の前端部が、下前側ビーム材２３に回動自在に係合し、後下側連結部材１７の後端部が、下後側ビーム材２５に回動自在に係合していることで、下側連結部材１１（前下側連結部材１５、後下側連結部材１７）が、斜長尺材７や斜短尺材９に対して回動自在になっている。
【００５３】
下側中間連結部材２７は、下側連結部材１１と同様に、前下側連結部材１５と後下側連結部材１７とで構成されており、下前側ビーム材２３や下後側ビーム材２５の長手方向（横方向の中間部）で、下前側ビーム材２３や下後側ビーム材２５に設けられている。
【００５４】
前側補強ビーム材２９は、たとえば、アングル材で細長い棒状に形成されており、延伸方向（長手方向）の一端部が第１の下側連結部材１１Ａの前下側連結部材１５の前端近傍の部位に一体的に設けられており、延伸方向（長手方向）の他端部が第２の下側連結部材１１Ｂの前下側連結部材１５の前端近傍の部位に一体的に設けられている。そして、情報表示装置の支持装置５の使用時、前側補強ビーム材２９は、第１の下側連結部材１１Ａの前下側連結部材１５と第２の下側連結部材１１Ｂの前下側連結部材１５との間で横方向に延伸している。
【００５５】
中前側補強ビーム材３１は、前側補強ビーム材２９とほぼ同形状に形成されており、延伸方向（長手方向）の一端部が第１の下側連結部材１１Ａの前下側連結部材１５の後側の部位に一体的に設けられており、延伸方向（長手方向）の他端部が第２の下側連結部材１１Ｂの前下側連結部材１５の後側の部位に一体的に設けられている。そして、情報表示装置の支持装置５の使用時、前側補強ビーム材２９は、第１の下側連結部材１１Ａの前下側連結部材１５と第２の下側連結部材１１Ｂの前下側連結部材１５との間で横方向に延伸している。
【００５６】
中後側補強ビーム材３３も、前側補強ビーム材２９とほぼ同形状に形成されており、延伸方向（長手方向）の一端部が第１の下側連結部材１１Ａの後下側連結部材１７の前端近傍の部位に一体的に設けられており、延伸方向（長手方向）の他端部が第２の下側連結部材１１Ｂの後下側連結部材１７の前端近傍の部位に一体的に設けられている。そして、情報表示装置の支持装置５の使用時、前側補強ビーム材２９は、第１の下側連結部材１１Ａの後下側連結部材１７と第２の下側連結部材１１Ｂの後下側連結部材１７との間で横方向に延伸している。
【００５７】
後側補強ビーム材３５も、前側補強ビーム材２９とほぼ同形状に形成されており、延伸方向（長手方向）の一端部が第１の下側連結部材１１Ａの後下側連結部材１７の後端近傍の部位に一体的に設けられており、延伸方向（長手方向）の他端部が第２の下側連結部材１１Ｂの後下側連結部材１７の後端近傍の部位に一体的に設けられている。そして、情報表示装置の支持装置５の使用時、前側補強ビーム材２９は、第１の下側連結部材１１Ａの後下側連結部材１７と第２の下側連結部材１１Ｂの後下側連結部材１７との間で横方向に延伸している。
【００５８】
前側補強ビーム材２９の長手方向（横方向）の中央部は、下側中間連結部材２７の前下側連結部材１５の前端近傍の部位に一体的に設けられており、中前側補強ビーム材３１の長手方向（横方向）の中央部は、下側中間連結部材２７の前下側連結部材１５の後端近傍の部位に一体的に設けられており、中後側補強ビーム材３３の長手方向（横方向）の中央部は、下側中間連結部材２７の後下側連結部材１７の前端近傍の部位に一体的に設けられており、後側補強ビーム材３５の長手方向（横方向）の中央部は、下側中間連結部材２７の後下側連結部材１７の後端近傍の部位に一体的に設けられている。
【００５９】
前側補強ビーム材２９と中前側補強ビーム材３１と中後側補強ビーム材３３と後側補強ビーム材３５は、上下方向では、下側連結部材１１と同じところに位置しており、下側連結部材１１よりも上方に突出してはいない。
【００６０】
また、情報表示装置の支持装置５には、後側画像表示装置ガイド体３７と前側画像表示装置ガイド体３９とが設けられている。
【００６１】
後側画像表示装置ガイド体３７は、たとえば、前側補強ビーム材２９とほぼ同形状に形成されており、延伸方向（長手方向）の一端部が第１の下側連結部材１１Ａの前下側連結部材１５の後端近傍の部位に一体的に設けられており、延伸方向（長手方向）の他端部が第２の下側連結部材１１Ｂの前下側連結部材１５の後端近傍の部位に一体的に設けられている。そして、情報表示装置の支持装置５の使用時、後側画像表示装置ガイド体３７は、第１の下側連結部材１１Ａの前下側連結部材１５と第２の下側連結部材１１Ｂの前下側連結部材１５との間で横方向に延伸している。なお、図５（ａ）で示す態様では、後側画像表示装置ガイド体３７はこの長手方向の中間部で２つに分割されており、この分割がされている部位は、一対の下側中間連結部材２７のそれぞれに一体的に設置されている。
【００６２】
また、後側画像表示装置ガイド体３７は、中前側補強ビーム材３１よりも後側に位置しており、下側連結部材１１の上側に設置され下側連結部材１１の上面から上方に突出している。
【００６３】
前側画像表示装置ガイド体３９は、短い４つのアングル材で構成されており、前後方向では、中前側補強ビーム材３１と後側画像表示装置ガイド体３７との間で前下側連結部材１５に一体的に設けられている。また、前側画像表示装置ガイド体３９は、下側連結部材１１の上面に設置され下側連結部材１１の上面から上方に突出している。
【００６４】
前後方向では、後側画像表示装置ガイド体３７と前側画像表示装置ガイド体３９とは、所定の距離（板状の画像表示装置３の厚さ寸法よりもごく僅かに大きい距離）だけ離れている。
【００６５】
そして、情報表示装置の支持装置５の使用時、後側画像表示装置ガイド体３７と前側画像表示装置ガイド体３９との間に、画像表示装置３の下端部が、ガイドされ挟まれて設置されるようになっている。
【００６６】
なお、情報表示装置の支持装置５において、上述した構成を適宜変更してもよい。たとえば、中前側補強ビーム材３１や中後側補強ビーム材３３を適宜削除してもよい。中前側補強ビーム材３１を削除した場合、後側画像表示装置ガイド体３７が、中前側補強ビーム材３１の代わりに、補強材して作用することになる。
【００６７】
画像表示装置３は、図７で示すように、正方形状で所定の厚さを備えた複数のエレメント３Ａ，３Ｂ，３Ｃ，３Ｄ，３Ｅで構成されており、蝶番４１（図２参照）や回動機構４２等のヒンジにより、図８で示すように、折り畳むことができるようになっている。
【００６８】
また、最も下のエレメント３Ａには、画像表示装置３の電源部や制御部が設けられており、エレメント３Ａには、ＬＥＤ等で構成された画像表示部が設けられていない。各エレメント３Ｂ，３Ｃ，３Ｄ，３Ｅには、ＬＥＤ等で構成された画像表示部が設けられている。
【００６９】
最も下のエレメント３Ａに画像表示装置３の電源部や制御部が設けられていることで、画像表示装置３の重心は、図７（ａ）で示す状態では、下側（たとえば、エレメント３Ａ内、もしくは、エレメント３Ｂ内）に位置している。
【００７０】
被係合部１９は、蝶番４３等のヒンジにより、画像表示装置３に対して回動するようになっている。画像表示装置３が情報表示装置の支持装置５に設置されるときには、図７（ａ）で示すように、被係合部１９が突出して、図４（ａ）で示すように、ボルト４５を用いて、上側ビーム材１３を挟み込むようになっている。一方、被係合部１９が収納位置にあるときには、図７（ｄ）で示すようになる。
【００７１】
情報表示装置の支持装置５は、「人」文字状に形成された斜長尺材７と斜短尺材９とこれらの下側部位に設けられた下側連結部材１１とを一対で備え、この一対の斜長尺材７と斜短尺材９と下側連結部材１１との間に上側ビーム材１３を設けてあり、下側連結部材１１と上側ビーム材１３とで、画像表示装置３を支持するように構成されている。
【００７２】
したがって、情報表示装置の支持装置５では、従来の情報表示装置の支持装置２０１にように、片持ち梁の部分が無くなっており、これにより、情報表示装置の支持装置５を構成している各部材（斜長尺材７、斜短尺材９、下側連結部材１１、上側ビーム材１３等）の剛性を上げなくても、全体の剛性を高くすることができ、従来のものよりも、軽量化が可能になる。
【００７３】
そして、キャスタが無くても移動（たとえば、路面がでこぼこになっていたり障害物が存在している道路上での移動）が容易になり、また、現場での設置や撤去が容易になる。
【００７４】
また、情報表示装置の支持装置５によれば、一対の斜長尺材７と一対の斜短尺材９と一対の下側連結部材１１の分割されている部位１５，１７とを含む全体が、概ね１つの平面上に存在するような折り畳みが可能なように構成されているので、情報表示装置の支持装置５を搬送や保管をするときにかさばらず、搬送しやすく、保管スペースを確保しやすくなる。
【００７５】
また、情報表示装置の支持装置５によれば、画像表示装置３の被係合部１９が、収容位置に位置するように構成されているので、画像表示装置３を搬送や保管するときにかさばらず、搬送しやすく、保管スペースを確保しやすくなる。
【００７６】
なお、図2では、情報表示装置の支持装置５に２列等の複数列で画像表示装置３の各エレメント３Ａ〜３Ｅが横方向にならんで設置されているが、図９で示すように、画像表示装置３の各エレメント３Ａ〜３Ｅを１列で設置するようにしてもよい。
【符号の説明】
【００７７】
３  画像表示装置
５  情報表示装置の支持装置
７  斜長尺材
９  斜短尺材
１１  下側連結部材
１３  上側ビーム材
１５  前下側連結部材
１７  後下側連結部材
１９  被係合部
【図１】
2014206666.tif 000003
【図２】
2014206666.tif 000004
【図３】
2014206666.tif 000005
【図４】
2014206666.tif 000006
【図５】
2014206666.tif 000007
【図６】
2014206666.tif 000008
【図７】
2014206666.tif 000009
【図８】
2014206666.tif 000010
【図９】
2014206666.tif 000011
【図１０】
2014206666.tif 000012